(57)【要約】【課題】電動自転車などの電動装置に対するバッテリ交換に伴うデータ処理や課金処理を容易にする。【解決手段】バッテリに取り付けられ履歴データが書き込まれるＩＣチップ１３ａと、データ読書装置を介して電動装置から取り外されたバッテリと交換されるバッテリとのそれぞれの履歴データに基づいて双方の価値指数差を判定する価値判定装置（制御装置１９）と、前記価値指数差に基づいてバッテリ交換に伴う精算処理や受け払い処理を行なう受払処理装置（制御装置１９）と、を有するように電動装置のバッテリ交換システム１０を構成する。【選択図】  図１
2010191636.tif 000002
【特許請求の範囲】
【請求項１】
電動装置に着脱可能に搭載されその駆動源となるバッテリを予め充電されたバッテリに交換するバッテリステーションを備えた電動装置のバッテリ交換システムであって、
前記バッテリにそれぞれ取り付けられその充電可能回数、使用年月日数、使用可能期限、残存電気量などの履歴データが書き込まれるＩＣチップと、
前記バッテリステーションに設けられバッテリから取得された履歴データをＩＣチップに読み書きするデータ読書装置と、
前記データ読書装置を介して前記電動装置から取り外されたバッテリと交換されるバッテリとのそれぞれの履歴データに基づいて双方の価値指数差を判定する価値判定装置と、
前記価値指数差に基づいてバッテリ交換に伴う精算処理や受け払い処理を行なう受払処理装置と、
を有することを特徴とする電動装置のバッテリ交換システム。
【請求項２】
前記電動装置が、電動自転車であって、
前記バッテリステーション又は前記バッテリには、
電動自転車から取り外されたバッテリの端子部に装着されてその残存電気量などの履歴データを取得するデータ取得装置が設けられていることを特徴とする請求項１記載の電動装置のバッテリ交換システム。
【請求項３】
前記受払処理装置が、
電動装置から取り外されたバッテリＡが装入される使用済電池ボックスと、充電済のバッテリＢが収納される交換用電池ボックスとを備え、
前記交換用電池ボックスは、
内蔵するバッテリＢの取り出しを禁止するロック機構を有し、前記価値判定装置により判定された各電池ボックスに収納されたバッテリＡとＢとの価値指数差に対応した手数料などを含む代金の納入によりバッテリＢのロック状態を解除することを特徴とする請求項１又は２記載の電動装置のバッテリ交換システム。
【発明の詳細な説明】
【技術分野】
【０００１】
本発明は、電動自転車（電動アシスト二輪車という場合がある）やハイブリッド車、携帯電話などの電動装置に搭載されたバッテリの交換に際して、そのバッテリ情報に基づいて精算などの受払処理を簡単適切に行なうことのできる電動装置のバッテリ交換システムに関する。
【背景技術】
【０００２】
従来より、電動自転車や電動自動車などの電動式車両は排出ガスの少ないことや、エネルギ資源の多様化への対応性などの面において、ガソリンエンジンなどを搭載した車両に比較して優位にある。このような電動式車両においては、搭載されたバッテリに対してその充電を迅速に行う必要があり、ガソリンスタンドと同形態の充電スタンドを設置し、該充電スタンドによりバッテリを充電するようにしたシステムが提案されている。
【０００３】
例えば、特許文献１には、充電情報及び電動車両の識別情報を通信回線を介して取得する管理装置を備え、充電スタンドには電動車両に取付けられた識別情報記録担体に記録されている電動車両の識別情報を取得する情報取得手段と、充電用電力を供給する電力供給手段と、前記管理装置と通信回線を介して情報を送受信する通信手段と、を備えた充電スタンド管理システムが記載されている。
【先行技術文献】
【特許文献】
【０００４】
【特許文献１】特開２００８−６５６３５号公報
【発明の概要】
【発明が解決しようとする課題】
【０００５】
しかしながら、従来の充電システムでは、高性能のバッテリチャージャを備えた充電スタンドであっても、そのバッテリへの充電に数分間以上を要するため、利用者にとって使い勝手のよいものとはいえず、普及の妨げとなっていた。
また、特許文献１に記載の技術は、ユーザの識別情報に基づいて充電の可否を判断すると共に、その充電量に応じた課金をユーザ毎に記録することによって充電処理を容易にするものと考えられる。しかし、この技術は、本来、識別データなどを入出力する通信機能に依存しているものであり、通信機能を持たないバッテリステーションや電動自転車などにおけるバッテリ交換や充電に際して、その使用可能時間などバッテリ情報の入出力処理に労力がかかるとともに迅速な課金処理が困難であるという問題点があった。
【０００６】
本発明は、前記従来の問題点を解決するためになされたものであり、電動自転車などの電動装置におけるバッテリ交換に伴うデータ処理や課金処理を容易にして、バッテリにより駆動される電動自転車やハイブリッド車、携帯電話、音楽プレイヤなどを含む電動装置の利用、普及に寄与することを目的とする。
【課題を解決するための手段】
【０００７】
（１）本発明の電動装置のバッテリ交換システムは、電動装置に着脱可能に搭載されその駆動源となるバッテリを予め充電されたバッテリに交換するバッテリステーションを備えた電動装置のバッテリ交換システムであって、前記バッテリにそれぞれ取り付けられその充電可能回数、使用年月日数、使用可能期限、残存電気量などの履歴データが書き込まれるＩＣチップと、前記バッテリステーションに設けられバッテリから取得された履歴データをＩＣチップに読み書きするデータ読書装置と、前記データ読書装置を介して前記電動装置から取り外されたバッテリと交換されるバッテリとのそれぞれの履歴データに基づいて双方の価値指数差を判定する価値判定装置と、前記価値指数差に基づいてバッテリ交換に伴う精算処理や受け払い処理を行なう受払処理装置と、を有することを特徴とする。
【０００８】
（２）本発明の電動装置のバッテリ交換システムは、前記（１）の電動装置のバッテリ交換システムにおいて、前記電動装置が電動自転車であって、前記バッテリステーション又は前記バッテリには電動自転車から取り外されたバッテリの端子部に装着されてその残存電気量などの履歴データを取得するデータ取得装置を設けることもできる。
【０００９】
（３）本発明の電動装置のバッテリ交換システムは、前記（１）又は（２）の電動装置のバッテリ交換システムにおいて、前記受払処理装置が、電動装置から取り外されたバッテリＡが装入される使用済電池ボックスと、充電済のバッテリＢが収納される交換用電池ボックスとを備え、前記交換用電池ボックスには内蔵するバッテリＢの取り出しを禁止するロック機構を有し、前記価値判定装置により判定された各電池ボックスに収納されたバッテリＡとＢとの価値指数差に対応した手数料などを含む代金の納入によりバッテリＢのロック状態を解除するように構成されている。
【発明の効果】
【００１０】
本発明によれば、電動装置から取り外されたバッテリと交換されるバッテリとのそれぞれのＩＣチップに保持された履歴データに基づいて双方の価値指数差を判定して、この価値指数差に基づいて受け払い処理を行なうので、電動装置に対するバッテリ交換に伴うデータ処理や課金処理を容易にすることができる。こうして、バッテリにより駆動される電動自転車やハイブリッド車、携帯電話、音楽プレイヤなどを含む電動装置の利用、普及に貢献することができる。
【図面の簡単な説明】
【００１１】
【図１】実施例１に係る電動装置のバッテリ交換システムの概略説明図である。
【図２】同交換システムのバッテリステーションの拡大斜視図である。
【図３】同交換システムにおける制御系のブロック構成図である。
【図４】実施例２に係る電動装置のバッテリ交換システムの概略説明図である。
【発明を実施するための形態】
【００１２】
本実施形態に係る電動装置のバッテリ交換システムは、電動自転車やハイブリッド車、携帯電話機などの電動装置に着脱可能に搭載され、消耗したバッテリを予め充電されたバッテリに交換するバッテリステーションを備えた電動装置のバッテリ交換システムであって、バッテリにそれぞれ取り付けられその充電可能回数、使用年月日数、使用可能期限、残存電気量などの履歴データが書き込まれるＩＣチップと、バッテリステーションに設けられバッテリから取得された履歴データをＩＣチップに読み書きするデータ読書装置と、データ読書装置を介して電動装置から取り外されたバッテリと交換されるバッテリとのそれぞれの履歴データに基づいて双方の価値指数差を判定する価値判定装置と、価値指数差に基づいてバッテリ交換に伴う精算処理や受け払い処理を行なう受払処理装置と、を有する。
これによって、電動自転車などの電動装置に対するバッテリ交換に伴う交換される双方のバッテリ価値指数に応じたデータ処理や課金処理を容易にすることができる。
【００１３】
電動装置は、電力を補助動力源または主動力源として駆動する自転車や自動車、携帯電話などであって、着脱して交換可能なバッテリユニットなどを備えている。電動自転車の場合においては、ペダル、前後輪、チェーン等の一般的な自転車の構成に加え、使用者がペダルを踏み込むときの踏力を測定するトルクセンサや、補助駆動力を発生させるモータ、モータ出力を制御する制御部、モータ等に電力を供給する二次電池となるバッテリ等を備えている。
このような電動自転車では、使用者の踏力をトルクセンサで検出し、この踏力に応じた補助駆動力をモータで発生させるようにモータの制御が行なわれている。
【００１４】
充電により繰り返し使用が可能なバッテリは、バッテリユニットなどを介して電動自転車などの電動装置のバッテリ装着部に着脱可能に搭載される。バッテリからモータに供給される電力とモータから出力される動力とは、モータの最大定格値の範囲内で実質的に比例し、バッテリの充電により一定のバッテリ電圧が維持される。そして、そのバッテリの充電可能回数、使用年月日数、使用可能期限、残存電気量、バッテリの履歴、廃棄処分料金、これらの一部あるいは複数を、数値化したデータが、バッテリ毎に付設されたＩＣチップやＩＣタグなどの電子メモリに記録され、このデータに基づいてバッテリが管理されるようになっている。
【００１５】
ＩＣチップは、近距離の無線通信によって情報をやりとりする電子メモリの機能を有した小型デバイスであり、データ読書装置となるＩＣタグリーダから発射される電波によって微量な電力が回路内に発生し、その電力で情報を処理し、リーダに送信する。
ＩＣチップ（ＩＣタグ）には複数の電子素子が乗った回路基板で構成されたものや、ワンチップＩＣ（集積回路）タイプのものがある。
なお、電池パックなどに実装して使用する電池残量をリアルタイムに計測可能とする電池残量管理ＩＣをこのようなＩＣチップに付設することもできる。このような電池残量管理ＩＣには、バッテリの内部インピーダンスを算出するためのアルゴリズムが実現されており、電池の劣化や温度、充放電のパターンなどによって変動する内部インピーダンスをその電池電圧を基にしてリアルタイムに計測して記憶することが可能である。
【００１６】
データ読書装置はバッテリステーションに設けられてＩＣタグリーダとしての機能を備え、ＩＣチップに記憶されたバッテリの充電可能回数、使用年月日数、使用可能期限、残存電気量などのデータを読み書きするための装置である。なおＩＣチップには、バッテリ交換や充電に伴って発生する充電料金、廃棄処分料金、手数料などのデータも保持されており、これらの管理用データの処理もデータ読書装置を介して行なうことができる。データ読書装置は、ＲＦＩＤタグなどの電子メモリに記憶されたバッテリの個別情報を、無線通信によってデータ呼び出し、登録、削除、更新などの読み書きを行なうための自動認識システムの構成要素である。ＩＣチップにデータ読書装置の読み取り部をかざすことによって、バッテリ情報（製造年月、検査データなど）がその液晶パネルなどの表示機器に表示され、さらに新しい情報を書き込むことで、バッテリの流通情報などを一元管理することもできるようになっている。
【００１７】
価値判定装置は、バッテリ価値指数の判定プログラムがロードされたパソコンなどのコンピュータにその機能が担われた装置であって、データ読書装置とともにバッテリステーションに設けられる。この価値判定装置は、データ読書装置を介して電動装置から取り外されたバッテリと交換されるバッテリとのそれぞれの履歴データに基づいて双方の価値指数差を判定する機能を有している。
【００１８】
受払処理装置は、前記価値判定装置により取得された価値指数差に基づいてバッテリ交換に伴う精算処理や受け払い処理を行なうための装置である。このような受払処理装置は例えば、電動装置から取り外されたバッテリや充電済のバッテリを収納するためのバッテリ収納部、バッテリ価値指数を表示するための価値指数表示部、バッテリ交換に伴う代金を収納精算するための代金挿入口などを備えた精算部、などの他に、前記価値判定装置を含めて各部を制御するためのコンピュータ制御部を備えて構成されている。
【００１９】
また、本実施形態の電動装置のバッテリ交換システムは、前記電動装置が電動自転車であって、前記バッテリステーション又は前記バッテリには電動自転車から取り外されたバッテリの端子部に装着されてその残存電気量などの履歴データを取得するデータ取得装置を設けることもできる。これによって、電池劣化状態や温度、充放電のパターンなどによって変動するバッテリの内部インピーダンスなどのデータをリアルタイムに計測記憶して、バッテリ管理を直接的かつ効率的に行なうことができる。
【００２０】
データ取得装置は前記バッテリステーションに配置されたセンサ類などであり、電動装置から取り外されたバッテリや交換されるバッテリの端子部や、キーボードなどの外部入力装置に接続される。これによって、バッテリの残存電気量などの履歴データが、受払処理装置のコンピュータ制御部に送信されて、バッテリ交換に伴う精算処理を効率的に行なうことを可能にしている。
【００２１】
本実施形態の電動装置のバッテリ交換システムは、前記受払処理装置が電動装置から取り外されたバッテリＡが装入される使用済電池ボックスと、充電済のバッテリＢが収納される交換用電池ボックスとを備え、前記交換用電池ボックスには内蔵するバッテリＢの取り出しを禁止するロック機構を有し、前記価値判定装置により判定された各電池ボックスに収納されたバッテリＡ、Ｂとの価値指数差に対応した手数料などを含む代金の納入によりバッテリＢのロック状態を解除することができる。これによって、バッテリ交換に伴う費用や、これらの一部あるいは複数を数値化し、バッテリに電子メモリとして記録を持たせた交換しようとするバッテリの数値を読み取り、そのバッテリの数値差を対価として表し、その対価を支払い、あるいは受領することで、バッテリの対価を精算させ、バッテリ交換の要求を満たすことができる。
【００２２】
使用済電池ボックス及び交換用電池ボックスには、挿入されたバッテリのＩＣチップからその情報を読み取るためのデータ読書装置や、バッテリに接続されてその残存電気量、充電料金、廃棄処分料金、手数料などのデータを取得するためのデータ取得装置、バッテリ充電装置、バッテリのロック機構が配置される。なお、使用済電池ボックス及び交換用電池ボックスはそれぞれの機能を共用した同一構成のものとして、複数のものをバッテリステーションに配置することもできる。
【００２３】
（実施例１）
以下、本発明の電動装置のバッテリ交換システムの実施例について図面を参照して説明する。図１は実施例１に係る電動装置のバッテリ交換システムの概略説明図であり、図２は実施例１のバッテリ交換システムにおけるバッテリステーションの拡大斜視図である。
実施例１の電動装置のバッテリ交換システム１０は、図示するように複数の電動自転車１１が係止される係止ポイント１２と、電動自転車１１に着脱可能に搭載され消耗したバッテリ１３を予め充電されたバッテリに交換するための複数のバッテリ収納部１４などを備えたバッテリステーション１５により構成されている。なお、バッテリが着脱されるバッテリ収納部１４は、適用される電動自転車の車種やメーカなどに応じて複数種類のものが配置されており、利用者が適宜選択して利用できるようになっている。
【００２４】
係止ポイント１２は、電動自転車１１や通常の自転車に応じて複数のものが配置されており、自転車を必要に応じて施錠して係止するための施錠機構１２ａや、バッテリ１３の使用状態を判定するデータ取得装置などが設けられている。こうして使用者は、この電動自転車１１に搭載されたバッテリ１３の電源状態などに応じて、消耗したバッテリ１３の電動自転車１１から取り外して、係止ポイント１２に隣接したバッテリステーション１５のバッテリ収納部１４のバッテリ差し込み口に挿入する。
バッテリ１３には電子メモリとなるＩＣチップ１３ａが取り付けられており、そのバッテリ１３の充電可能回数、使用年月日数、使用可能期限、残存電気量などの履歴データが書き込まれており、ＩＣタグリーダなどを介して必要に応じてこれらのデータを参照できるようになっている。
【００２５】
バッテリステーション１５は、図２に示すように、電動自転車１１から取り外されたバッテリや充電済みのバッテリが挿入されて複数配列されるバッテリ収納部１４を備えるとともに、バッテリ交換処理における操作方法や代金などを表示するための液晶パネルなどのディスプレー装置１５ａや、ブザー１５ｂ、精算ボタン１５ｃ、キャンセルボタン１５ｄ、領収書発行口１５ｅ、返金口１５ｆ、コインなどの貨幣投入口１５ｇ、充電完了ランプ１５ｈ、金額表示パネル１５ｉなどが配置されている。
さらに、制御系のブロック構成図（図３）に示すように、台形スタンド状に形成されたバッテリステーション１５のバッテリ収納部１４には、ディスプレー装置１５ａや充電完了ランプ１５ｈなどの入出力装置１６に加えて、バッテリ１３に取り付けられたＩＣチップ１３ａを介して、その充電可能回数、使用年月日数、使用可能期限、残存電気量などの履歴データを取得するためのＩＣタグリーダライタなどのデータ読書装置１７と、バッテリ収納部１４にセットされたバッテリ１３を充電するためのバッテリ充電装置１８と、バッテリステーション１５におけるバッテリ充電や交換処理などを制御するための制御装置１９とを備えている。
なお、コンピュータやシーケンサなどからなる制御装置１９は、電動自転車１１から取り外されたバッテリと交換されるバッテリとからデータ取得装置などを介して取得されたそれぞれの履歴データに基づいて双方の価値指数差を判定する価値判定装置と、価値指数差に基づいてバッテリ交換に伴う精算処理やバッテリの受け払い処理を行なうための受払処理装置としての機能を有している。
【００２６】
バッテリの受払処理においては、電動自転車１１から取り外されたバッテリＡをバッテリ収納部１４に挿入することによって、バッテリＡと交換対象となる充電済のバッテリＢの価値指数、充電料、手数料の差額を受領あるいは支払することによりバッテリＢを受け取ることができる。
このような新品バッテリの価値指数を１００％として設定して、これから例えば減価償却した残りの価値を以下のような項目別に価値指数として数値化する。
（１）バッテリ充電可能回数（最初を１００として、残り回数を％表示）
（２）使用年月日数（最初を１００として、残り日数を％表示）
（３）残存電気量（完全充電を１００として、残りを％表示）
（４）バッテリ履歴：バッテリの経時劣化があるため、製造年月日から賞味期限までの期間を１００％として、残り日数を％表示）
（５）充電料金：バッテリＢの充電に要する料金
（６）バッテリの廃棄処分料金：予め新品バッテリの段階で廃棄処分費用または買取金を盛り込んだもの。
【００２７】
こうして、バッテリＡがバッテリ充電装置１８に接続されると、データ取得装置を介してそのバッテリのＩＣチップ１３ａに記録された情報データが制御装置１９に読み込まれ、精算処理がなされる。バッテリステーション１５では、大型のカセットテープ差込口と同じような形状の空いている差込口にバッテリＡを入れることで、バッテリＡの充電前の価値指数がディスプレー装置１５ａに表示される。そして利用者は他の差込口に差し込まれているバッテリＢの中からその表示されている価値指数を参照して好みのものを選択する。こうして、バッテリＢが収納されているバッテリ収納部１４の金額表示パネル１５ｉには充電後の料金表示がされ、精算ボタン１５ｃの操作によってバッテリＡとＢとの交換に伴う精算処理が実行される。最後にバッテリステーション１５の前面に設けられたロックボタン１５ｊを操作することによりバッテリＢをそのバッテリ収納部１４から取り外すことができる。
【００２８】
以上説明したように、実施例１の電動装置のバッテリ交換システム１０は、バッテリを充電したい場合、その使用者は充電時間を待つことなく、既充電のバッテリと交換することでバッテリを充電することができる。
さらに、バッテリの充電可能回数、使用年月日数、使用可能期限、残存電気量、バッテリの履歴、充電料金、バッテリの廃棄処分料金、などこれらの一部あるいは複数をバッテリ価値指数として、価値判定装置として機能する制御装置により数値化することができる。こうして、バッテリに電子メモリとして記録を持たせた交換しようとする互いのバッテリの価値指数を読み取り、お互いのバッテリの価値指数差を対価として表し、その対価を支払い、あるいは受領することで、かかるバッテリの対価を精算させ、バッテリ充電の要求を満たすことを可能にするものである。
したがって、電動自転車などの電動装置に対するバッテリ交換に伴うデータ処理や課金処理を容易にして、バッテリにより駆動される電動自転車やハイブリッド車、携帯電話、音楽プレイヤなどを含む電動装置におけるバッテリの使い回しを有効化するとともにその利用、普及に資することができる。
【００２９】
（実施例２）
図４は、実施例２に係る電動装置のバッテリ交換システムの概略説明図である。
実施例２の電動装置のバッテリ交換システム２０は、電動アシスト自転車２１などがフック係止機構２２などを介して係止される自転車係止スタンド２３と、電動アシスト自転車２１から取り外されたバッテリ２４を収納するための使用済電池ボックス２５と、予め充電されたバッテリ２６を保持する交換用電池ボックス２７とを備えている。
そして、交換用電池ボックス２７には、内蔵されたバッテリの取り出しを禁止する開閉扉などのロック機構を有するとともに、各ボックスに内蔵されたそれぞれのバッテリ２４、２６に付設されたＩＣチップ２８からデータ取得装置２９を介してそれぞれの情報データが読み出される。こうして、各電池ボックス２５、２７に収納されたバッテリ２４、２６の価値指数差に対応した手数料などを含む所定の代金が表示部３０に表示されて、貨幣投入口３１に貨幣が投入されると、自転車係止スタンド２３の図示しない実施例１と同様の制御装置３２によりこの料金が判定されて、充電済みとなっているバッテリ２６のロック状態が解除され、これによって交換対象となるバッテリ２６の取り出しが可能となるようになっている。
【００３０】
なお、バッテリの充電処理は、自転車係止スタンド２３に内蔵された図示しない充電器もしくはこれとは別体に設けられた充電スタンドにおいてなされる。また、利用者により充電済みバッテリがその電池ボックスから取り出されると、使用済電池ボックス２５と交換用電池ボックス２７の機能が逆転して他方の使用済みバッテリの充電操作が開始されるようにしてもよい。これによって、使用済みバッテリの充電に伴う負荷を軽減して、電動装置のバッテリ交換システムの効率的な運営が可能になる。
【００３１】
以上説明したように、本発明の電動装置のバッテリ交換システムは、バッテリの履歴データをＩＣチップに記録してこのデータに基づいてバッテリ交換に伴う精算処理や受け払い処理を効率的に行なうようにしたことを要旨とするものであり、これに該当するものは本発明の権利範囲に属する。例えば、本発明のバッテリ交換システムは、電動自転車のみならずハイブリッド自動車、携帯電話機、音楽プレイヤなどを含む電動装置に対して広く適用することが可能である。
【符号の説明】
【００３２】
１０    実施例１の電動装置のバッテリ交換システム
１１    電動自転車
１２    係止ポイント
１２ａ    施錠機構
１３    バッテリ
１３ａ    ＩＣチップ
１４    バッテリ収納部
１５    バッテリステーション
１５ａ    ディスプレー装置
１５ｂ    ブザー
１５ｃ    精算ボタン
１５ｄ    キャンセルボタン
１５ｅ    領収書発行口
１５ｆ    返金口
１５ｇ    貨幣投入口
１５ｈ    充電完了ランプ
１５ｉ    金額表示パネル
１５ｊ    ロックボタン
１６    入出力装置
１７    データ読書装置
１８    バッテリ充電装置
１９    制御装置
２０    実施例２の電動装置のバッテリ交換システム
２１    電動アシスト自転車
２２    フック係止機構
２３    自転車係止スタンド
２４    バッテリ
２５    使用済電池ボックス
２６    バッテリ
２７    交換用電池ボックス
２８    ＩＣチップ
２９    データ取得装置
３０    表示部
３１    貨幣投入口
３２    制御装置
【図３】
2010191636.tif 000003
【図１】
2010191636.tif 000004
【図２】
2010191636.tif 000005
【図４】
2010191636.tif 000006